(57)【要約】      （修正有） 【課題】バンドが耳に直接圧迫して装着痕または痛みの発生を避けるマスクバンド構造を提供する。【解決手段】要は、マスクバンドにシースが套設されており、該シースはスリーブ状となり、シースを耳にぴったりと付けるように、シースをバンドの上で適当な位置まで任意に移動可能で、バンドの中央部に直接縫製することもでき、且つ、シースの柔軟特質により使用者の耳を保護し、耳はバンドの伸縮弾性により直接圧迫され装着痕の生成または耳の痛みが発生しない。特に、長時間の着用でも耳への負担がなくなり、とても実用で進歩性を有するものである。【選択図】図４
0003171726.tif 000002
【実用新案登録請求の範囲】
【請求項１】
シース付きマクスバンドの新たな構造であって、
マスク本体と、バンドと、シースとからなっており、該マスク本体の両側に伸縮弾性を有するバンドが繋がられており、バンドにシースが套設されており、シースがバンドの上で自在に摺動することできることを特徴とするシース付きマクスバンドの新たな構造。
【請求項２】
該シースはバンドに直接縫製され、バンドの中央部に位置されたことを特徴とする請求項１に記載のシース付きマクスバンドの新たな構造。
【考案の詳細な説明】
【技術分野】
【０００１】
本考案は、マスクバンド(mask  band)にシース(sheath)が設けられ、使用者がマスクをつけている時、シースが耳にかぶせられたことにより耳を保護し、バンドが耳に直接圧迫して装着痕または痛みの発生を避けるシース付きマクスバンドの新たな構造に関する。
【背景技術】
【０００２】
日常生活には、マスクはよく使用されている物品であり、医者、看護婦、清掃作業員、無塵室にある作業員、バイクに乗っている人などは、細菌または塵埃が鼻または口を通って体内に入って病気または感染の発生を避けるために、どの人でもマスクをつけることが必要である。図１に示すように、伝統的なマスク１は、布製、不織布または使い捨てマスクであっても、要はマスク本体１０と、マスク本体１０に繋がっている二つのバンド１１とからなり、該バンド１１はマスク本体１１の両側に設けられ伸縮弾性を有し、使用者の耳１２(図２に示すように)にかかることができるので、マスク本体１０を鼻１３及び口１４に覆わせることができる。これにより、外部の空気をマスク本体１０の外まで阻むことができるので、濾過してから吸入され、鼻１３または口１４から細菌または塵埃が体内に吸入されることを防ぐ。
【考案の概要】
【考案が解決しようとする課題】
【０００３】
ところが、仕事のために、多くの職業は長時間でマスク１を付けなければならない(医者、看護婦、清掃作業員、無塵室にある作業員など)。該マスク１のバンド１１は伸縮弾性を有するので、いろいろ顔つきの異なる人にかぶせられることを満たし、マスク１を面部にぴったりと装着することができる。しかし、使用者の耳１２にバンド１１による装着痕がよく形成される。さらには、耳１２の過敏及び痛みを起こすので、かなり快適でなくなる。これを鑑みて、マスク本体１０の両側に線分を縫製し頭の後部に縛ったことにより、マスク本体１０を鼻１３及び口１４に固定することができる。このようなことをする人は、特に医務従事員は多数を占めている(図面に示していない)。しかし、マスクをつける時、結び目を作らなければならず、厄介で弛み易いので、使用の効果は良くない。
【課題を解決するための手段】
【０００４】
本考案はシース付きマクスバンドの新たな構造に関する。要は、マスクバンドの外側にシースが套設されており、該シースは固定式でバンドの中央部に直接縫製することができ、バンドの上でシースを適当な位置まで任意に移動することもでき、使用者がシースを耳にぴったりと装着するように調整し、且つ、該シースは柔軟材質でからなったので、バンドが耳を圧迫して耳の過敏及び痛みの発生を避けることができ、長時間の着用でも装着痕が起こらないとともに、バンドを耳につけて固定する方式を保持することができるので、快速で便利であり、明らかに従来のものよりも進歩である。
【図面の簡単な説明】
【０００５】
【図１】図１は、従来のマスクの斜視図である。
【図２】図２は、従来のマスクの使用状態を示す図である。
【図３】図３は、本考案に係るマスクを分解した斜視図である。
【図４】図４は、本考案に係るマスクの斜視図である。
【図５】図５は、本考案に係るマスクの使用状態を示す図である。
【図６】図６は、本考案に係るマスクの他の実施例を示す図である。
【考案を実施するための形態】
【０００６】
まず、図３に示すように、図３は本考案に係るマスクを分解した斜視図である。マスク２は、要はマスク本体２０、バンド２１、及びシース２２から形成されている。該マスク本体２０の両側に伸縮弾性を有するバンド２１が繋がっており、一対の耳にかかることができ、バンド２１の外側にシース２２が套設されていることによりマスク２を組み合わせてなる(図４に示すように)。また、シース２２をバンド２１の上で任意に摺動させることができる。これは、タッチファスナーや針仕事などの方式でシース２２をバンド２１に固定し、さらに、バンド２１の移動によりシース２２を調整し、シース２２を耳１２にぴったりと装着させることができる(図５に示すように)。且つ、該シース２２は柔軟材質で作られたものなので、耳１２はバンド２１の圧迫を受けず、快適である。
なお、図５に示すように、図５は本考案に係るマスクの使用状態を示す図である。バンド２１の伸縮弾性を利用し、少し開けられてから耳１２にかかってマスク本体２０に鼻１３及び口１４をよく覆わせて、外部の空気の直接吸入を阻んで細菌または塵埃の濾過機能を果たす。この時、シース２２はやはり耳１２にぴったりとかかっており、シース２２を上下へ摺動させることにより、シース２２を耳の適当な所に位置させることができるので、バンド２１が耳１２に圧迫して装着痕の発生を避け、長時間でマスク２をつけた場合でも、耳１２はバンド２１の弾性により圧迫され痛みが起こる心配はない。
次は、図６に示すように、図６は、本考案に係るマスクの他の実施例を示す図である。針仕事などの方式でシース２２をバンド２１の中央部に固着させたことにより、マスクをつける時は、単にバンド２１を引っ張ると、シート２２も同時に耳の後まで引っ張られるので、シート２２が耳１２にぴったりと付けることができる(図５を再度参照)。これにより、耳１２の負担は低減され、且つ、ただバンド２１を耳１２にかかるだけで、マスク２の着用は完成されるので、とても簡単で速やかである。
【符号の説明】
【０００７】
１  マスク
１０  マスク本体
１１  バンド
１２  耳
１３  鼻
１４  口
２  マスク
２０  マスク
２１  バンド
２２  シース
【図１】
0003171726.tif 000003
【図２】
0003171726.tif 000004
【図３】
0003171726.tif 000005
【図４】
0003171726.tif 000006
【図５】
0003171726.tif 000007
【図６】
0003171726.tif 000008
【手続補正書】
【提出日】平成23年7月19日(2011.7.19)
【手続補正１】
【補正対象書類名】実用新案登録請求の範囲
【補正対象項目名】全文
【補正方法】変更
【補正の内容】
【実用新案登録請求の範囲】
【請求項１】
保護スリーブ付きマスクバンドの新たな構造であって、
マスク本体と、バンドと、保護スリーブとからなっており、該マスク本体の両側に伸縮弾性を有するバンドが繋がられており、バンドに保護スリーブが套設されており、保護スリーブがバンドの上で自在に摺動することできることを特徴とする保護スリーブ付きマスクバンドの新たな構造。
【請求項２】
該保護スリーブはバンドに直接縫製され、バンドの中央部に位置されたことを特徴とする請求項１に記載の保護スリーブ付きマスクバンドの新たな構造。
【手続補正２】
【補正対象書類名】明細書
【補正対象項目名】全文
【補正方法】変更
【補正の内容】
【考案の詳細な説明】
【技術分野】
【０００１】
本考案は、マスクバンド(mask  band)に保護スリーブが設けられ、使用者がマスクをつけている時、保護スリーブが耳にかぶせられたことにより耳を保護し、バンドが耳に直接圧迫して装着痕または痛みの発生を避ける保護スリーブ付きマスクバンドの新たな構造に関する。
【背景技術】
【０００２】
日常生活には、マスクはよく使用されている物品であり、医者、看護婦、清掃作業員、無塵室にある作業員、バイクに乗っている人などは、細菌または塵埃が鼻または口を通って体内に入って病気または感染の発生を避けるために、どの人でもマスクをつけることが必要である。図１に示すように、伝統的なマスク１は、布製、不織布または使い捨てマスクであっても、要はマスク本体１０と、マスク本体１０に繋がっている二つのバンド１１とからなり、該バンド１１はマスク本体１１の両側に設けられ伸縮弾性を有し、使用者の耳１２(図２に示すように)にかかることができるので、マスク本体１０を鼻１３及び口１４に覆わせることができる。これにより、外部の空気をマスク本体１０の外まで阻むことができるので、濾過してから吸入され、鼻１３または口１４から細菌または塵埃が体内に吸入されることを防ぐ。
【考案の概要】
【考案が解決しようとする課題】
【０００３】
ところが、仕事のために、多くの職業は長時間でマスク１を付けなければならない(医者、看護婦、清掃作業員、無塵室にある作業員など)。該マスク１のバンド１１は伸縮弾性を有するので、いろいろ顔つきの異なる人にかぶせられることを満たし、マスク１を面部にぴったりと装着することができる。しかし、使用者の耳１２にはバンド１１による装着痕がよく形成される。さらには、耳１２の過敏及び痛みを起こすので、かなり快適でなくなる。これを鑑みて、マスク本体１０の両側に線分を縫製し頭の後部に縛ったことにより、マスク本体１０を鼻１３及び口１４に固定することができる。このようなことをする人は、特に医務従事員は多数を占めている(図面に示していない)。しかし、マスクをつける時、結び目を作らなければならず、厄介で弛み易いので、使用の効果は良くない。
【課題を解決するための手段】
【０００４】
本考案は保護スリーブ付きマスクバンドの新たな構造に関する。要は、マスクバンドの外側に保護スリーブが套設されており、該保護スリーブは固定式でバンドの中央部に直接縫製することができ、バンドの上で保護スリーブを適当な位置まで任意に移動することもでき、使用者が保護スリーブを耳にぴったりと装着するように調整し、且つ、該保護スリーブは柔軟材質でからなったので、バンドが耳を圧迫して耳の過敏及び痛みの発生を避けることができ、長時間の着用でも装着痕が起こらないとともに、バンドを耳につけて固定する方式を保持することができるので、快速で便利であり、明らかに従来のものよりも進歩である。
【考案の効果】
【０００５】
本考案の保護スリーブ付きマスクバンドの新たな構造によれば、バンドが耳を圧迫して耳の過敏及び痛みの発生を避けることができ、長時間の着用でも装着痕が起こらないとともに、バンドを耳につけて固定する方式を保持することができるので、快速で便利である。
【図面の簡単な説明】
【０００６】
【図１】従来のマスクの斜視図である。
【図２】従来のマスクの使用状態を示す図である。
【図３】本考案に係るマスクの分解斜視図である。
【図４】本考案に係るマスクの斜視図である。
【図５】本考案に係るマスクの使用状態を示す図である。
【図６】本考案に係るマスクの他の実施例を示す図である。
【考案を実施するための形態】
【０００７】
まず、図３に示すように、図３は本考案に係るマスクの分解斜視図である。マスク２は、要はマスク本体２０、バンド２１、及び保護スリーブ２２から形成されている。該マスク本体２０の両側に伸縮弾性を有するバンド２１が繋がっており、一対の耳にかかることができ、バンド２１の外側に保護スリーブ２２が套設されていることによりマスク２を組み合わせてなる(図４に示すように)。また、保護スリーブ２２をバンド２１の上で任意に摺動させることができる。これは、タッチファスナーや針仕事などの方式で保護スリーブ２２をバンド２１に固定し、さらに、バンド２１の移動により保護スリーブ２２を調整し、保護スリーブ２２を耳１２にぴったりと装着させることができる(図５に示すように)。且つ、該保護スリーブ２２は柔軟材質で作られたものなので、耳１２はバンド２１の圧迫を受けず、快適である。
【０００８】
なお、図５に示すように、図５は本考案に係るマスクの使用状態を示す図である。バンド２１の伸縮弾性を利用し、少し開けられてから耳１２にかかってマスク本体２０に鼻１３及び口１４をよく覆わせて、外部の空気の直接吸入を阻んで細菌または塵埃の濾過機能を果たす。この時、保護スリーブ２２はやはり耳１２にぴったりとかかっており、保護スリーブ２２を上下へ摺動させることにより、保護スリーブ２２を耳の適当な所に位置させることができるので、バンド２１が耳１２に圧迫して装着痕の発生を避け、長時間でマスク２をつけた場合でも、耳１２はバンド２１の弾性により圧迫され痛みが起こる心配はない。
【０００９】
次は、図６に示すように、図６は、本考案に係るマスクの他の実施例を示す図である。針仕事などの方式で保護スリーブ２２をバンド２１の中央部に固着させたことにより、マスクをつける時は、単にバンド２１を引っ張ると、保護スリーブ２２も同時に耳の後まで引っ張られるので、保護スリーブ２２が耳１２にぴったりと付けることができる(図５を再度参照)。これにより、耳１２の負担は低減され、且つ、ただバンド２１を耳１２にかかるだけで、マスク２の着用は完成されるので、とても簡単で速やかである。
【符号の説明】
【００１０】
１  マスク
１０  マスク本体
１１  バンド
１２  耳
１３  鼻
１４  口
２  マスク
２０  マスク
２１  バンド
２２保護スリーブ
【手続補正書】
【提出日】平成23年9月8日(2011.9.8)
【手続補正１】
【補正対象書類名】実用新案登録請求の範囲
【補正対象項目名】全文
【補正方法】変更
【補正の内容】
【実用新案登録請求の範囲】
【請求項１】
ジャケット付きマスクバンドの新たな構造であって、
バンドと、ジャケットとからなっており、該マスク本体の両側に伸縮弾性を有するバンドが繋がられており、バンドにジャケットが套設されており、ジャケットがバンドの上で自在に摺動することができることを特徴とするジャケット付きマスクバンドの新たな構造。
【請求項２】
ジャケット付きマスクバンドの新たな構造であって、
バンドと、ジャケットとからなっており、該マスク本体の両側に伸縮弾性を有するバンドが繋がられており、バンドにジャケットが套設されており、該ジャケットはバンドに直接縫製され、バンドの中央部に位置されたことを特徴とするジャケット付きマスクバンドの新たな構造。